(57)【要約】【課題】本考案の目的は、血行促進、代謝促進などに有効なチタン素材やゲルマニウム素材、トルマリンを、より簡便な方法で応用した、チタン、ゲルマニウム素材入り健康ベルトを提供することである。【解決手段】上記目的を達成するため、本考案のチタン、ゲルマニウム素材入り健康ベルトは、チタン系素材、ゲルマニウム素材から選ばれた少なくとも一種の金属乃至無機物を内部に含有する材料により製作された帯と、連結具からなることを特徴とするチタン、ゲルマニウム素材入り健康ベルトであり、そして、該チタン、ゲルマニウム素材入り健康ベルトは、好ましくは、断面が丸、楕円、四角乃至角を丸めた四角であることを特徴とする。【選択図】      図４
0003110161.tif 000002
【実用新案登録請求の範囲】
【請求項１】
チタン系素材、ゲルマニウム素材から選ばれた少なくとも一種の金属乃至無機物を内部に含有する材料により製作された帯乃至紐と、連結具からなることを特徴とするチタン、ゲルマニウム素材入り健康ベルト。
【請求項２】
請求項１において、材料が弾性材料であることを特徴とするチタン、ゲルマニウム素材入り健康ベルト。
【請求項３】
請求項１、２において、チタン系素材、ゲルマニウム素材から選ばれた金属乃至無機化合物は粒子の形態で含有されていることを特徴とするチタン、ゲルマニウム素材入り健康ベルト。
【請求項４】
請求項１、２において、チタン系素材として、金属チタンあるいはチタンを含有するチタン化合物、チタン合金であることを特徴とするチタン、ゲルマニウム素材入り健康ベルト。
【請求項５】
請求項１、２において、ゲルマニウム素材としては、ゲルマニウム金属、ゲルマニウム化合物、ゲルマニウムを化合物の形で含有するゲルマニウム鉱物であることを特徴とするチタン、ゲルマニウム素材入り健康ベルト。
【請求項６】
請求項１〜５において、トルマリン、モナザイト、バイオセラミックスがさらに追加添加されていることを特徴とするチタン、ゲルマニウム素材入り健康ベルト。
【請求項７】
請求項１〜５において、チタン系素材、ゲルマニウム素材の混合量が、帯乃至紐の全重量に対し、１．０〜２０．０重量％（以下「％」と略す）であることを特徴とするチタン、ゲルマニウム素材入り健康ベルト
【請求項８】
請求項１〜５において、帯乃至紐の断面が丸、楕円、四角乃至角を丸めた四角であることを特徴とするチタン、ゲルマニウム素材入り健康ベルト。
【考案の詳細な説明】
【技術分野】
【０００１】
本考案は、首や手足等に使用するチタン、ゲルマニウム素材入り健康ベルトに関する。
【背景技術】
【０００２】
血行促進、代謝促進のため、最近チタン素材、ゲルマニウム素材が注目されている。これら素材は血行促進、鎮静、吸熱などの作用を有する。そして、これらの作用は、これら素材が皮膚と直接接触しない場合でも有効とされる。
【０００３】
従来、チタン系素材を手足などに巻き付けて使用するバンドに応用しようとする試みがなされている。即ち、繊維製品からなる表面層と、可撓性がある中間層からなるバンドにおいて、中間層にチタンなどを含有させた健康バンドが開示されている（特許文献１）。しかしこの健康バンドは、ファスナーなどを使用して、手首、足首に巻きつける方法であり、ファスナーなどの接合のための部品例えばファスナーを取り付けるための表面層を必須とする方法である。
【０００４】
【特許文献１】：実登３０４５８３５号公報
【考案の開示】
【考案が解決しようとする課題】
【０００５】
本考案の目的は、血行促進、代謝促進などに有効なチタン素材やゲルマニウム素材を、より簡便な方法で、腕輪などのベルトに応用した、チタン、ゲルマニウム素材入り健康ベルトを提供することである。
【課題を解決するための手段】
【０００６】
上記目的を達成するため、本考案のチタン、ゲルマニウム素材入り健康ベルトは、
（１）  チタン系素材、ゲルマニウム素材から選ばれた少なくとも一種の金属乃至無機物を内部に含有する材料により製作された帯乃至紐と、連結具からなることを特徴とする、
（２）  （１）において、材料が弾性材料であることを特徴とする、
（３）  （１）、（２）において、チタン系素材、ゲルマニウム素材から選ばれた金属乃至無機化合物は粒子の形態で含有されていることを特徴とする、
（４）  （１）、（２）において、チタン系素材として、金属チタンあるいはチタンを含有するチタン化合物、チタン合金であることを特徴とする、
（５）  （１）、（２）において、ゲルマニウム素材としては、ゲルマニウム金属、ゲルマニウム化合物、ゲルマニウムを化合物の形で含有するゲルマニウム鉱物であることを特徴とする、
（６）  （１）〜（５）において、チタン系素材、ゲルマニウム素材の混合量が、帯乃至紐の全重量に対し、１．０〜２０．０％であることを特徴とする、
（７）  （１）〜（５）において、トルマリン、モナザイト、バイオセラミックスがさらに追加添加されていることを特徴とする、
（８）  （１）〜（５）において、帯乃至紐の断面が、丸、楕円、四角乃至角を丸めた四角であることを特徴とする。
【０００７】
本考案では、チタン系素材、ゲルマニウム系素材から選ばれた少なくとも一種の無機物が使用される。無機物としては、チタン系素材、ゲルマニウム素材、トルマリン、モナザイト、バイオセラミックスをあげることができる。
ここに、チタン系素材としては、金属チタンあるいはチタンを含有するチタン化合物、チタン合金である。チタン化合物としては、酸化チタン、炭化チタン、窒化チタンなどである。チタン合金としては、銅、スズ、鉄、アルミニウム、クロム、コバルト、モリブデン、タングステンなどの金属とチタンの合金をあげることができる。
そして、これらのチタン系素材は、好ましくは、粒子の型で使用される。ゴムなどとの混合が容易になるからである。  
【０００８】
本考案で用いるゲルマニウム素材としては、ゲルマニウムをおそらくは化合物の形で含有するゲルマニウム鉱物である。
ゲルマニウム化合物としては、酸化ゲルマニウムなどである。
【０００９】
本考案では、ゲルマニウム素材、チタン素材とトルマリンを併用することができる。トルマリンは、別名電気石といわれ主成分として、Ａｌ、Ｂ、Ｓｉを有する。
種類としは、ショールトルマリン、リチアトルマリン、ドラバイトトルマリンがある。トルマリンはモース硬度７〜７．５、比重３〜３．３の六方晶系の鉱石である。トルマリンの特徴は、特有のマイナスイオンを作り出し、体質改善に有効とされることである。
【００１０】
本考案では、ゲルマニウム素材、チタン素材と、モナザイトを併用することができる。モナザイトは、トリウム鉱石の一種で、花崗岩ペグマタイト（巨晶）中に産出する。褐色柱状又は板状の結晶で透明感がある。ウラニウムを含み、放射線で長石を赤く、石英を黒く変色させる性質がある。また本考案では、リン酸カルシウムなどのバイオセラミックスを併用することもできる。
【００１１】
本考案で使用される材料としては、ゴムをあげることができる。ゴムとしては、シリコンゴム、ウレタンゴム、ブチルゴム、アクリルゴム、スチレン-ブタジエンゴムなどの合成ゴム、天然ゴムなどをあげることができる。しかし、肌に対する刺激が少ないこと成形性が良好なことなどからシリコンゴムが好ましい。また着色やつや消しのため、有機乃至無機顔料を添加することができる。つや消しを行ったり、緑、ピンクなどに着色したりして商品価値を高めるためである。また弾性材料製造のため、原料として架橋剤が使用される。これら架橋剤としては、有機過酸化物などをあげることができる。
【００１２】
本考案のチタン、ゲルマニウム素材入り健康ベルトは継ぎ目を有し、手足の寸法が異なる場合においても、対応可能である。ここで健康ベルトの両端の連結具が必要である。
連結具の材料としては、プラスチックス、金属などをあげることができる。
【００１３】
本考案のチタン系素材乃至ゲルマニウム素材から選ばれた少なくとも一種の金属乃至無機物は、弾性材料の内部にあり、弾性材料の表面には出ていない。このためチタン、ゲルマニウム素材入り健康ベルトとして使用されたとき、内部にある金属乃至無機物により皮膚が刺激されることがなくアレルギーなどの危険性がより少ない。
【００１４】
本考案のチタン、ゲルマニウム素材入り健康ベルトを作成する方法としては、シートを作成し、帯乃至紐状に切断するなどの方法がある。そしてチタン、ゲルマニウム素材入り健康ベルトのベルトの長さは、腕、足首外周長さよりやや大きめにする。腕、足首に着用したとき締め付けないためである。なお、二重、三重にして、腕、足首に着用するときは、腕、足首の周長さの二倍、三倍よりやや大きくする。
【００１５】
チタン系素材、ゲルマニウム素材の混合量が、帯乃至紐の全重量に対し、１．０〜２０．０％であるのは、１．０％より少ないと効果が少なく、２０．０％より多くなると添加効果が飽和し、コストアップするからである。
【００１６】
本考案のチタン、ゲルマニウム素材入り健康ベルトの断面は、丸、楕円、四角乃至角を丸めた四角である。角を丸めた四角とは、図１に示す如く四角の角の鋭角部分を除き、円くした形態をいう。ベルト状にし、切断すれば四角となるからである。
【考案を実施するための最良の形態】
【００１７】
以下に、本考案の一実施例に就いて、説明する。
まず、チタン、ゲルマニウム素材入り健康ベルト形成のため、次の組成の原料を配合する。ここに「部」とは、重量部である。
未加硫のシリコン生ゴム                    ９０．２部
シリコンゴム硬化剤                          ０．２部
トルマリン                                  １．０部
モナザイト                                  ２．２部
ゲルマニウム                                ５．０部
チタン                                      １．４部
合計                                    １００．０部
を混合し、加工剤組成物Ａを作成する。
【００１８】
次にゴム帯を形成するための金型により、上記加工剤組成物を流し込み、加硫処理して、シリコンゴム２、チタン、ゲルマニウム１、モナザイトからなるシートを得、裁断して、帯を得る。ここで、図１は、本考案のチタン、ゲルマニウム素材入り帯の断面図である。次に、帯６と雌型プラスチック治具４は、接合具５を使用して接合させる。図２は、接合具５を用いた帯６と雌型プラスチック治具４との接合を示す断面図である。雄型プラスチック治具３と帯６との接合も同様に行われる。雄型プラスチック治具の先端８は撓むことが可能であり、雌型プラスチック治具３と嵌合するのである。図３は、嵌合する前の状態における雄型プラスチック治具と雌型プラスチック治具の平面図である。図４は、チタン、ゲルマニウム入り健康ベルトの斜視図である。
【００１９】
未加硫のシリコン生ゴム                  １７２．５部
シリコンゴム硬化剤                          ０．５部
トルマリン                                  ７    部
モナザイト                                  ６    部
バイオセラミックス                          ７    部
ゲルマニウム                                ６    部
チタン                                      １    部
合計                                    ２００    部
を混合し、加工剤組成物Ｂを作成する。Ｂを用いて同様にチタン、ゲルマニウム素材入り健康ベルトが作成される。
【００２０】
未加硫のシリコン生ゴム                  １７０．５部
シリコンゴム硬化剤                          ０．５部
モナザイト                                  ６    部
バイオセラミックス                          ７    部
ゲルマニウム                                ８    部
チタン                                      ８    部
合計                                    ２００    部
を混合し、加工剤組成物Ｃを作成する。加工剤組成物Ｃを用いて同様にチタン、ゲルマニウム素材入り健康ベルトが作成される。
【００２１】
未加硫のシリコン生ゴム                  １６５．５部
シリコンゴム硬化剤                          ０．５部
トルマリン                                  ７    部
モナザイト                                  ６    部
バイオセラミックス                          ７    部
ゲルマニウム                                ６    部
チタン                                      ８    部
合計                                    ２００    部
を混合し、加工剤組成物Ｄを作成する。加工剤組成物Ｄを用いて同様にチタン、ゲルマニウム素材入り健康ベルトが作成される。
【００２２】
本考案のチタン、ゲルマニウム素材入り健康ベルトは、リスト（手首）、アーム（肘）、ひざ、ふくらはぎ、足首などのサポータや、ヘヤーバンドなどに使用できる。  
以上の説明によって明らかな様に、本考案によるチタン、ゲルマニウム素材入り健康ベルトは以下のような効果を有する。
（ａ）  ゲルマニウム鉱物の効果により、自律神経の調整などの作用が期待される。また半導体の特性から体内の活性酸素と結合し体外に運び出す効果が期待される。
（ｂ）  トルマリン鉱物の効果により、特有のマイナスイオンを作り出し体質改善効果が期待される。
（ｃ）  チタン素材の効果により、血行促進、代謝促進、鎮静、吸熱などの効果を有し、健康増進に有用である。
【図面の簡単な説明】
【００２３】
【図１】本考案のチタン、ゲルマニウム素材入り帯の断面図である。
【図２】接合具を用いた帯と雌型プラスチック治具との接合を示す断面図である。
【図３】雄型プラスチック治具と雌型プラスチック治具の平面図である。
【図４】チタンゲルマニウム入り健康ベルトの斜視図である。
【符号の説明】
【００２４】
１    チタン、ゲルマニウム素材
２    シリコンゴム
３    雄型プラスチック治具
４    雌型プラスチック治具
５    接合具
６    帯
７    穴
８    雄型プラスチック治具の先端突起
９    嵌合時の雄型プラスチック治具の先端突起
【図１】
0003110161.tif 000003
【図２】
0003110161.tif 000004
【図３】
0003110161.tif 000005
【図４】
0003110161.tif 000006